(57)【要約】  【構成】ＥＰＧデータと番組映像情報とを含む放送信号は、ディジタルチューナ１６によって受信される。ＭＰＥＧデコーダ２２は、受信された放送信号に含まれる番組映像情報に基づく映像を出力する。抽出操作が行われると、受信された放送信号に含まれるＥＰＧデータがＣＰＵ３６によって抽出される。パターン認識は、ＭＰＥＧデコード２２によって出力される映像に現れる文字をＣＰＵ３６の抽出動作に関連して認識する。ＣＰＵ３６によって抽出されたＥＰＧデータに基づく文字とパターン認識によって認識された文字は、キャラクタジェネレータ３０によって同時に出力される。ＣＰＵ３６は、キャラクタジェネレータ３０によって出力された文字の中から、所望の文字を目的地情報として抽出する。  【効果】目的地を設定するときの操作性が向上する。【選択図】  図１
2006234550.tif 000002
【特許請求の範囲】
【請求項１】
文字情報と番組情報とを含む放送信号を受信する受信手段、
前記受信手段によって受信された放送信号に含まれる番組映像を出力する第１出力手段、
所定操作が行われたとき前記受信手段によって受信された放送信号に含まれる文字情報を抽出する第１抽出手段、
前記第１出力手段によって出力される番組映像に現れる文字を前記第１抽出手段の抽出動作に関連して認識する認識手段、
前記第１抽出手段によって抽出された文字情報に基づく文字と前記認識手段によって認識された文字とを同時に出力する第２出力手段、および
前記第２出力手段によって出力された文字の中から所望の文字を目的地情報として抽出する第２抽出手段を備える、ナビゲーション装置。
【請求項２】
前記第２抽出手段によって抽出された文字に基づいて目的地を検索する検索手段をさらに備える、請求項１記載のナビゲーション装置。
【請求項３】
前記文字情報は前記映像番組を案内する番組ガイド情報である、請求項１または２記載のナビゲーション装置。
【発明の詳細な説明】
【技術分野】
【０００１】
この発明は、ナビゲーション装置に関し、特にたとえば入力された目的地情報に基づいて目的地まで経路の検索／案内を実行する、ナビゲーション装置に関する。
【背景技術】
【０００２】
従来のこの種の装置の一例が、特許文献１に開示されている。この従来技術によれば、旅行先を案内する放送番組には、その旅行先情報が多重される。この放送番組がテレビ端末によって受信されると、番組映像と旅行先情報とが利用者に提示される。旅行先情報は、利用者の操作に応答してメモリカードに記憶される。このメモリカードが車載情報端末に装着されると、車載情報端末は、メモリカードに記憶された旅行先情報に基づいて、旅行先までの経路の検索／案内を実行する。これによって、目的地を示す文字を1つずつ入力する手間を省くことができる。
【特許文献１】特許公開２００２−２２１４２４号公報[G01C 21/00,G06F 17/60]
【発明の開示】
【発明が解決しようとする課題】
【０００３】
しかし、従来技術においてメモリカードに記憶されるのは、放送番組に多重された旅行先情報である。つまり、地名などの文字が番組映像に現れたとしても、この文字がメモリカードに記憶されることはない。このため、番組映像に現れた文字によって示される目的地を設定するには、この文字を１つずつ車載情報端末に入力する必要がある。
【０００４】
それゆえに、この発明の主たる目的は、目的地を設定するときの操作性をさらに向上させることができる、ナビゲーション装置を提供することである。
【課題を解決するための手段】
【０００５】
請求項１の発明に従うナビゲーション装置(10)は、文字情報と番組情報とを含む放送信号を受信する受信手段(16)、受信手段によって受信された放送信号に含まれる番組映像を出力する第１出力手段(22)、所定操作が行われたとき受信手段によって受信された放送信号に含まれる文字情報を抽出する第１抽出手段(S33)、第１出力手段によって出力される番組映像に現れる文字を第１抽出手段の抽出動作に関連して認識する認識手段(S41)、第１抽出手段によって抽出された文字情報に基づく文字と認識手段によって認識された文字とを同時に出力する第２出力手段(S11,30)、および第２出力手段によって出力された文字の中から所望の文字を目的地情報として抽出する第２抽出手段(S15)を備える。
【０００６】
文字情報と番組映像情報とを含む放送信号は、受信手段によって受信される。第１出力手段は、受信された放送信号に含まれる番組映像情報に基づく映像を出力する。所定操作が行われると、受信された放送信号に含まれる文字情報が第１抽出手段によって抽出される。認識手段は、第１出力手段によって出力される映像に現れる文字を第１抽出手段の抽出動作に関連して認識する。
【０００７】
第１抽出手段によって抽出された文字情報に基づく文字と認識手段によって認識された文字は、第２出力手段によって同時に出力される。第２出力手段は、第２出力手段によって出力された文字の中から、所望の文字を目的地情報として抽出する。
【０００８】
文字情報に基づく文字と映像に現れた文字とを同時に出力することで、目的地情報として抽出できる文字の範囲が拡大する。これによって、目的地を設定するときの操作性が向上する。
【０００９】
請求項２の発明に従うナビゲーション装置は、請求項１に従属し、第２抽出手段によって抽出された文字に基づいて目的地を検索する検索手段(52)をさらに備える。これによって、番組の鑑賞と並行して目的地を検索することができる。
【００１０】
請求項３の発明に従うナビゲーション装置は、請求項１または２に従属し、文字情報は番組映像を案内する番組ガイド情報である。
【発明の効果】
【００１１】
この発明によれば、文字情報に基づく文字と映像に現れた文字とを同時に出力することで、目的地情報として抽出できる文字の範囲が拡大する。これによって、目的地を設定するときの操作性が向上する。
モニタに表示された画像の中に含まれる任意の文字を取り込み、リモコン操作によって所望の文字列を抽出し、抽出された文字列をナビゲーションに送信する。これによって、かかる文字列を目的地への参考情報として設定し、行き先の経路案内に役立てることができる。
【００１２】
この発明の上述の目的，その他の目的，特徴および利点は、図面を参照して行う以下の実施例の詳細な説明から一層明らかとなろう。
【発明を実施するための最良の形態】
【００１３】
図１を参照して、この実施例のナビゲーション装置１０は、ディジタル受信機１２，車載端末リモコン４６およびカーナビゲーション装置４８を含む。ディジタル受信機１２およびカーナビゲーション装置４８の各々は、分離した状態で車に搭載される。
【００１４】
ディジタル受信機１２は、ディジタルチューナ１６を含む。アンテナ１４によって捉えられたディジタル放送の高周波信号は、ディジタルチューナ１６に与えられる。ディジタルチューナ１６は、アンテナ１４から与えられた高周波信号をベースバンド信号に変換する。ベースバンド信号は、ＯＦＤＭ復調回路１８によってＴＳ（Transport Stream）に変換される。デマルチプレクサ２０は、変換されたＴＳからＭＰＥＧデータを抽出し、抽出されたＭＰＥＧデータをＭＰＥＧデコーダ２２に与える。ＭＰＥＧデコーダ２２は、ＭＰＥＧデータをデコードし、これによって得られた番組映像データを加算器２４を介してＮＴＳＣエンコーダ２６に与える。ＮＴＳＣエンコーダ２６は、与えられた番組映像データをモニタ２８に出力する。この結果、番組映像がモニタ２８の画面に表示される。
【００１５】
図３に示す画面がモニタ２８に表示されているとき、車載端末リモコン４４によるＥＰＧ表示操作が行われると、デマルチプレクサ２０は、ＯＦＤＭ復調回路１８によって与えられたＴＳからＥＰＧデータを抽出する。抽出されたＥＰＧデータは、バス３２を通してメモリコントローラ３８に与えられる。ＥＰＧデータは、メモリコントローラ３８によってＥＰＧエリア４０ａに書き込まれる。
【００１６】
ＣＰＵ３６は、ＥＰＧエリア４０ａに書き込まれたＥＰＧデータからテキストコードを抽出する。これによって得られたテキストコードは、ＲＯＭ４２に格納されたテキストコード表を利用してキャラクタデータに変換される。変換されたキャラクタデータは、メモリコントローラ３８によってＯＳＤ描画エリア４０ｃに書き込まれる。
【００１７】
ＣＰＵ３６はまた、キャラクタジェネレータ３０を起動させる。キャラクタジェネレータ３０は、ＯＳＤ描画エリア４０ｃからキャラクタデータを読み出し、キャラクタデータを加算器２４を通してＮＴＳＣエンコーダ２６に与える。ＮＴＳＣエンコーダ２６は、入力されたキャラクタデータをモニタ２８に出力する。図４を参照して、番組映像データはモニタ２８の画面全体に表示され、キャラクタデータはモニタ２８の画面左下に表示される。
【００１８】
図１に戻って、車載端末リモコン４６による抽出操作が行われると、ＣＰＵ３６は、メモリコントローラ３８に番組映像を取り込む命令を与える。メモリコントローラ３８は、ＭＰＥＧデコーダ２２に番組映像データを要求し、ＭＰＥＧデコーダ２２は、番組映像データをバス３２を通してメモリコントローラ３８に与える。番組映像データは、メモリコントローラ３８によって番組映像データエリア４０ｂに書き込まれる。
【００１９】
ＣＰＵ３６は、番組映像データエリア４０ｂに書き込まれた番組映像データを読み出し、番組映像データにパターン認識処理を施す。これによって、番組映像の中に含まれる文字列に対応するテキストコードが得られる。
【００２０】
得られたテキストコードは、ＲＯＭ４２に格納されたテキストコード表を利用してキャラクタデータに変換される。変換されたキャラクタデータは、メモリコントローラ３８によってＯＳＤ描画エリア４０ｃに書き込まれる。
【００２１】
ＣＰＵ３６はまた、キャラクタジェネレータ３０を起動させる。キャラクタジェネレータ３０は、フラッシュメモリ４４から図５に示す文字列選択画面データを読み出す。キャラクタジェネレータ３０はまた、ＯＳＤ描画エリア４０ｃからキャラクタデータを読み出し、文字列選択画面データおよびキャラクタデータを加算器２４を通してＮＴＳＣエンコーダ２６に与える。ＮＴＳＣエンコーダ２６は、与えられた文字列選択画面データおよびキャラクタデータをモニタ２８に出力する。この結果、図６に示すように文字列選択画面データはモニタ２８の画面全体に表示され，キャラクタデータはフレーム２８ａに表示される。
【００２２】
図５に示す文字列選択画面は、フレーム２８ａ，カーソル２８ｂ，フレーム２８ｃ，範囲２８ｄおよびフォーカス２８ｅを有する。フレーム２８ａには、キャラクタデータが一行ずつ表示される。カーソル２８ｂは、車載端末リモコン４６によってフレーム２８ａを一行ずつ上下に動かされる。フレーム２８ａの文字列がカーソル２８ｂで囲まれるときに車載端末リモコン４６の図示しないボタンを押下すると、カーソル２８ｂで囲まれた文字列はフレーム２８ｃに表示される。範囲２８ｄは、車載端末リモコン４６によって選択された範囲を示し、フレーム２８ｃ内を左右に動き、範囲２８ｄの開始点および終点は、車載端末リモコン４６の図示しないボタンを押すことで決定される。フォーカス２８ｅは一文字毎に左右に動き、車載端末リモコン４６によって動かされる。
【００２３】
図１に戻って、カーナビゲーション装置４８は、通信Ｉ／Ｆ５０とナビゲーション５２とを含む。ディジタル受信機１２に含まれる通信Ｉ／Ｆ３４とカーナビゲーション装置４８に含まれる通信Ｉ／Ｆ５０とは、図示しない有線ケーブルによって接続されている。ＣＰＵ３６がカーナビゲーション装置４８に目的地検索要求を与えると、かかる要求は通信Ｉ／Ｆ３４から通信Ｉ／Ｆ５０を通してナビゲーション５２に与えられる。ナビゲーション５２は与えられた要求に応じて照合処理を実行する。照合処理が完了すると、ナビゲーション５２は照合結果を通信Ｉ／Ｆ４８を通じてＣＰＵ３６に与える。ＣＰＵ３６は、照合結果に基づいてモニタ２８に処理結果を表示させる。
【００２４】
ＣＰＵ３６は、具体的には図７〜図１０に示すフロー図に従う処理を行う。なお、このフロー図に対応するプログラムは、フラッシュメモリ４４に記憶される。
【００２５】
図７を参照して、ステップＳ１では、車載端末リモコン４６によって抽出操作を受けるまで待機する。抽出操作を受けると、ステップＳ３に進み、抽出処理を実行する。抽出処理では、ＥＰＧデータと番組映像の中に含まれる文字とが抽出される。抽出処理については、後で詳しく説明する。
【００２６】
ステップＳ５では、ＯＳＤ描画エリア４０ｃにキャラクタデータが書き込まれたか否か判断する。判断結果がＮＯであれば、ＥＰＧデータおよび番組映像のいずれにも文字情報が含まれていないと判断し、ステップＳ１に戻る。判断結果がＹＥＳであれば、ステップＳ７に進み、キャラクタジェネレータ３０を起動させる。キャラクタジェネレータ３０は、ＯＳＤ描画エリア４０ｃに書き込まれたキャラクタデータを図６に示すフレーム２８ａに展開する。
【００２７】
ステップＳ９では、ユーザが車載端末リモコン４６を用いてカーソル２８ｂを動かし、フレーム３６ａに表示された文字列の中から該当の文字列が選択されるまで待機する。該当の文字列が選択されると、ステップＳ１１に進み、該当の文字列をフレーム３６ｃに表示させる。
【００２８】
ステップＳ１３では、ユーザが車載端末リモコン４４を用いてフォーカス３６ｅを動かし、該当の文字列から所望の範囲が指定されるまで待機する。範囲が指定されると、範囲に含まれる文字列をドラフトとして抽出する。ステップＳ１７では、かかるドラフトにキーワード化処理を施す。
【００２９】
ステップＳ１９では、認定された文字列をカーナビゲーション装置４６に送信する。ステップＳ２１では、照合結果がカーナビゲーション装置４６によって与えられるまで待機する。照合結果が与えられると、ステップＳ２３に進み、照合結果を基に経路案内可能か否か判断する。判断結果がＹＥＳであれば、ステップＳ２５に進み、カーナビゲーション装置４６に経路案内を起動させる命令を与え、ステップＳ１に戻る。判断結果がＮＯであれば、ステップＳ２７に進み、“お探しの場所はみつかりませんでした”とモニタ４２に表示させ、ステップＳ１に戻る。
【００３０】
ステップＳ３の抽出処理について図９を用いて説明する。ステップＳ３１では、ＥＰＧデータがＥＰＧエリア４０ａに書き込まれているか否か判断する。判断結果がＮＯであれば、ステップＳ３９に進み、判断結果がＹＥＳであれば、ステップＳ３３に進む。ステップＳ３３では、ＥＰＧエリア４０ａに書き込まれたＥＰＧデータからテキストコードを抽出する。ステップＳ３５では、抽出されたテキストコードに対応するキャラクタデータをＲＯＭ４２に格納されたテキストコード表から読み出す。ステップＳ３７では、読み出されたキャラクタデータをメモリコントローラ３８に出力する。メモリコントローラ３８は、出力されたキャラクタデータをＯＳＤ描画エリア４０ｃに書き込む。
【００３１】
ステップＳ３９では、番組映像を読み出す。これより、メモリコントローラ３８は、ＭＰＥＧデコーダ２２に番組映像データを要求し、ＭＰＥＧデコーダ２２は、番組映像データをバス３２を通してメモリコントローラ３８に与える。番組映像データは、メモリコントローラ３８によって番組映像エリア４０ｂに書き込まれる。
【００３２】
ステップＳ４１では、番組映像データにパターン認識処理を施す。ステップＳ４３では、パターン認識処理によってテキストコードが生成されたか否か判断する。判断結果がＮＯであれば、番組映像の中に文字情報が含まれていないと判断し、上位ルーチンに復帰する。一方、判断結果がＹＥＳであれば、ステップＳ４５に進み、パターン認識処理によって得られたテキストコードに対応するキャラクタデータをＲＯＭ４２に格納されたテキストコード表から読み出す。ステップＳ４５では、読み出されたキャラクタデータをＯＳＤ描画エリア４０ｃに書き込み、上位ルーチンに復帰する。
【００３３】
ステップＳ１７のキーワード化処理について図１０を用いて説明する。ステップＳ５１でドラフトが０で始まるか判断する。判断結果がＹＥＳであれば、ステップＳ５３に進み、ドラフトから０〜９以外の文字を削除する。換言すると、ドラフトの中に含まれるハイフン“―”や括弧“（”，“）”などを取り除く。ステップＳ５５では、０〜９以外の文字を削除されたドラフトを電話番号情報に認定し、上位ルーチンに復帰する。
【００３４】
一方、ステップＳ５１で判断結果がＮＯであれば、ステップＳ５７に進み、ドラフトに都道府県名で始まる否か判断する。判断結果がＹＥＳであれば、ステップＳ５９に進み、ドラフトを住所情報に認定し、上位ルーチンに復帰する。また、ステップＳ５７で判断結果がＮＯであれば、ステップＳ６１に進み、ドラフトを施設情報に認定し、上位ルーチンに復帰する。
【００３５】
以上の説明から分かるように、ＥＰＧデータと番組映像情報とを含む放送信号は、ディジタルチューナ１６によって受信される。ＭＰＥＧデコーダ２２は、受信された放送信号に含まれる番組映像情報に基づく映像を出力する。抽出操作が行われると、受信された放送信号に含まれるＥＰＧデータがＣＰＵ３６によって抽出される。パターン認識は、ＭＰＥＧデコード２２によって出力される映像に現れる文字をＣＰＵ３６の抽出動作に関連して認識する。
【００３６】
ＣＰＵ３６によって抽出されたＥＰＧデータに基づく文字とパターン認識によって認識された文字は、キャラクタジェネレータ３０によって同時に出力される。ＣＰＵ３６は、キャラクタジェネレータ３０によって出力された文字の中から、所望の文字を目的地情報として抽出する。
【００３７】
ＥＰＧデータに基づく文字と映像に現れた文字とを同時に出力することで、目的地情報として抽出できる文字の範囲が拡大する。これによって、目的地を設定するときの操作性が向上する。
【００３８】
なお、この実施例では、ディジタル受信機１２によって地上ディジタル放送を受信する場合について説明しているが、これに限らず、アナログ受信機を使用し、アナログ放送を受信したり図１１に示す字幕放送を受信したりする場合も、この発明の目的を達成することができる。
【００３９】
また、この実施例では、ディジタル受信機１２およびカーナビゲーション装置４８の各々は、分離した状態で車の中に搭載されていると説明したが、これに限らない。例えば、ディジタル受信機１２とカーナビゲーション装置４８とが一体になり形成されるものや、遠隔地に備え付けられたカーナビゲーション装置４８と車載されたディジタル受信機１２とがインターネット回線を介して遠隔操作するなども可能である。
【００４０】
さらに、この実施例ではディジタル受信機１２は車載端末リモコン４６によって操作を受けるが、これに限らず、モニタ２８上にタッチパネルを設け、ディジタル受信機１２はタッチパネルによって操作を受ける構成を採用してもよい。
【図面の簡単な説明】
【００４１】
【図１】この発明の一実施例の構成を示すブロック図である。
【図２】ＲＡＭ４０動作の一部を示す図解図である。
【図３】モニタ２８動作の一部を示す図解図である。
【図４】モニタ２８動作の他の一部を示す図解図である。
【図５】モニタ２８動作のその他の一部を示す図解図である。
【図６】モニタ２８動作のさらにその他の一部を示す図解図である。
【図７】ＣＰＵ動作の一部を示すフロー図である。
【図８】ＣＰＵ動作の他の一部を示すフロー図である。
【図９】ＣＰＵ動作のその他の一部を示すフロー図である。
【図１０】ＣＰＵ動作のさらにその他の一部を示すフロー図である。
【図１１】モニタ２８動作のまたさらにその他の一部を示す図解図である。
【符号の説明】
【００４２】
１０  …  ナビゲーション装置
１２  …  ディジタル受信機
１６  …  ディジタルチューナ
１８  …  ＯＦＤＭ復調回路
２０  …  デマルチプレクサ
２２  …  ＭＰＥＧデコーダ
２８  …  モニタ
３０  …  キャラクタジェネレータ
３４，５０  …  通信Ｉ／Ｆ
３６  …  ＣＰＵ
３８  …  メモリコントローラ
４０  …  ＲＡＭ
４２  …  ＲＯＭ
４４  …  フラッシュメモリ
４６  …  車載端末リモコン
４８  …  カーナビゲーション装置
５２  …  ナビゲーション
【図１】
2006234550.tif 000003
【図２】
2006234550.tif 000004
【図３】
2006234550.tif 000005
【図４】
2006234550.tif 000006
【図５】
2006234550.tif 000007
【図６】
2006234550.tif 000008
【図７】
2006234550.tif 000009
【図８】
2006234550.tif 000010
【図９】
2006234550.tif 000011
【図１０】
2006234550.tif 000012
【図１１】
2006234550.tif 000013